(57)【要約】    【課題】  本発明の目的は患者に複数の薬液を点滴する場合に、Ａ薬液槽３１の点滴が終了するタイミングを見計らって自動的にＢ薬液槽３２の点滴に切り替える点滴管切替装置１１など、複数の薬液を自動的に切り替えて順次患者に点滴することを可能とする装置を提供することにある。    【解決手段】  Ａ薬液槽３１の薬液を流すチューブ３５と、Ｂ薬液槽３２の薬液を流すチューブ３６をそれぞれ格納する管溝部３ｂ、５ａ、５ｂと、押面２ａ、４ａ、４ｂでチューブ３５、３６を押し付けて密閉する片方押付機構１２又は両方押付機構１４、などからなる点滴切替装置１１とする。  さらに、長穴形状のカム穴２ｃ、４ｃと偏心カム２４、２６と駆動部９とからなる駆動機構１６、１７を有する押付機構１２、１４などとする。【選択図】              図１
2006130087.tif 000002
【特許請求の範囲】
【請求項１】
少なくとも２本の点滴用のチューブを格納可能な管溝部を有し、さらに、前記管溝部に格納したチューブの管路をそれぞれ個別に密閉及び開放する押付機構を有することを特徴とする点滴管切替装置。
【請求項２】
点滴用のチューブを格納可能な管溝部を少なくとも２式有し、さらに、前記管溝部にそれぞれ格納したチューブの管路を個別に密閉及び開放する押付機構を有することを特徴とする点滴管切替装置。
【請求項３】
請求項１又は請求項２に記載した点滴管切替装置において、管溝部に溝蓋を設けたことを特徴とする点滴管切替装置。
【請求項４】
請求項１乃至請求項３のいずれかに記載した点滴管切替装置において、押付機構が管溝部の溝面に向かってチューブを押付ける押面を有する構成としたことを特徴とする点滴管切替装置。
【請求項５】
請求項１乃至請求項４のいずれかに記載した点滴管切替装置において、押付機構が押面を有するスライドと前記スライドを直線方向に移動させる駆動機構とからなること特徴とする点滴管切替装置。
【請求項６】
請求項５に記載した点滴管切替装置において、スライドを直線方向に移動させる駆動機構がスライドに設けたカム穴と偏心カム及び駆動部とを有することを特徴とする点滴管切替装置。     
【請求項７】
請求項５に記載した点滴管切替装置において、スライドを直線方向に移動させる駆動機構がスライドに設けたラックとピニオン及び駆動部とを有することを特徴とする点滴管切替装置。     
【請求項８】
請求項１乃至請求項４のいずれかに記載した点滴管切替装置において、押付機構が押面を有するアームと前記アームを揺動させる駆動部とからなることを特徴とする点滴管切替装置。
【請求項９】
請求項２乃至請求項８のいずれかに記載した点滴管切替装置において、２式の管溝部を有するものとし前記２式の管溝部に格納したチューブの管路を、１式の押付機構で交互に密閉及び開放する構成としたことを特徴とする点滴管切替装置。
【請求項１０】
請求項１乃至請求項９のいずれかに記載した点滴管切替装置において、タイマ、チューブ内を流れる薬液を検知するセンサ、薬液の容量又は薬液の重量の変化を検知する装置のいずれかを有することを特徴とする点滴管切替装置。
【発明の詳細な説明】
【技術分野】
【０００１】
本発明は、医療機関が患者に対して複数の薬液からなる点滴治療を施す場合に、医者や看護師が薬液を切り替えるために患者の病室まで出向くことを不要とする効果が得られるようにした点滴管切替装置に関するものである。
【背景技術】
【０００２】
通常、１種類の薬液を患者に点滴を行うためには３０分〜２時間程度の時間を要し、２種類の薬液を患者に点滴を行うときには、１種類目の薬液の点滴が終了したタイミングを見計らって、医者や看護師が患者の病室に行って薬液の切り替えを行っていた。
しかし、医者や看護師が１種類目の薬液の点滴が終了するタイミングを計るため神経を使って他の仕事に集中できなかったり、間違えて早く患者の病室に行ってしまい時間を無駄に消費したり、点滴が終了してもなかなか患者の病室に医者や看護師が現れず、針を体に刺したまま身動きがとれない状態に患者を長期に置くなど、患者並びに医者及び看護師に過大な負担をかけていた。
かかる問題を解決するため、薬液の残量レベルを検出するレベルセンサを薬液の容器に設置した装置の発明（例えば、特許文献１参照）、薬液パックの重量を検出する装置の発明（例えば、特許文献２参照）、点滴用の透明チューブにセンサを取り付けた監視装置の発明（例えば、特許文献３参照）などがあった。
しかし、これらの発明はいずれも点滴作業の終了するタイミングを看護師等に知らせる発明に止まるため、患者に２種類以上の薬液を点滴するときには、医者や看護師は薬液を切り替えるために患者の病室に出かける必用があった。
特に、複数の薬液を点滴する治療を複数の患者に対して一人の看護師が行う場合は、看護師は１時間の間に何回もナースセンタから患者の病室に行かなければならず、ナースセンタと病室の往復する時間を無駄にする問題と、作業時間が短時間に分断されてしまい長時間を要する作業ができない問題があった。
【特許文献１】特開平６−１２５９８７号公報
【特許文献２】特開平６−１５４３１８号公報
【特許文献３】特開２０００−１１６７７０号公報
【発明の開示】
【発明が解決しようとする課題】
【０００３】
本発明は、上記した従来技術の問題を解決するためになされたものであって、その目的とするところは患者に複数の薬液を点滴する場合に、１種類目の薬液の点滴が終了したタイミングを見計らって、自動的に２種類目の薬液の点滴に切り替えること、さらに、２種目の薬液の点滴が終了したタイミングを見計らって、自動的に３種類目の薬液の点滴に切り替えること、など、複数の薬液を自動的に切り替えて順次患者に点滴することを可能とした装置を提供することにある。
【課題を解決するための手段】
【０００４】
複数の薬液をそれぞれ滴下させる管路をチューブで構成し、これを複数本保持する管溝部又はチューブを単数保持する管溝部を複数設ける。また、前記管溝部で保持したチューブの部分をそれぞれ個別に密閉する押付機構を設ける。そして、前記押付機構を作動させ複数の管路を順次切替える構成とした点滴管切替装置とする。
【発明の効果】
【０００５】
本発明は、患者に複数の薬液を点滴する場合に、各薬液の終了時間を見計らって自動的に薬液を切替えて、全ての薬液を順次患者に点滴治療することを可能としたので、薬液を交換するために医者や看護師が患者の病室に行く作業を不要とする効果があった。
このため医者や看護師が、診療室やナースセンタと病室の間を往復する時間を無駄にする問題や作業時間が短時間に分断される問題がなくなり、長時間を要するまとまった作業を時間を気にせず行うことができるようにする効果があった。
【発明を実施するための最良の形態】
【０００６】
請求項１の発明は、少なくとも２本の点滴用のチューブを格納可能な管溝部を有し、さらに、前記管溝部に格納したチューブの管路をそれぞれ個別に密閉及び開放する押付機構を有する点滴管切替装置とする。
患者に２種類の薬液を点滴する場合が多いが、さらに数多くの薬液を順次点滴する場合もある。そこで、少なくとも２本のチューブを格納可能な管溝部を設けた構成としたものである。１式の管溝部に２本以上のチューブを格納可能に設ける方法と、１本のチューブを格納可能な管溝部を２本以上設ける方法とがある。
押付装置はチューブを両側から挟んで管路を密閉する装置や、チューブを管溝部の溝面に押し付けて管路を密閉する装置などとすることが好ましく、複数本のチューブをそれぞれ個別に密閉したり開放する構成とする。
本発明は、所定の時間を経過したときや、チューブ内を流れる薬液がなくなったこと又は薬液槽の中の薬液の量がなくなったことなどを検知したときに、点滴する薬液の管路を自動的に切り替えて複数の種類の薬液を順次患者に点滴するようにしたものである。
請求項２の発明は、点滴用のチューブを格納可能な管溝部を少なくとも２式有し、さらに、前記管溝部にそれぞれ格納したチューブの管路を個別に密閉及び開放する押付機構を有する点滴管切替装置とする。
点滴用のチューブを少なくとも１本格納可能な管溝部を２式以上設け、所定の時間を経過したときや、チューブ内を流れる薬液がなくなったこと又は薬液槽の中の薬液の量がなくなったことなどを検知したときに、点滴する薬液の管路を自動的に切り替えて複数の種類の薬液を順次患者に点滴するようにしたものである。
請求項３の発明は、請求項１又は請求項２に記載した点滴管切替装置において、管溝部に溝蓋を設けた点滴管切替装置とする。
溝蓋を設けることにより、管溝部からチューブが外に出ないよう制御すること、及び見栄えの良い装置を提供することができるからである。
請求項４の発明は、請求項１乃至請求項３のいずれかに記載した点滴管切替装置において、押付機構が管溝部の溝面に向かってチューブを押付ける押面を有する構成とした点滴管切替装置とする。
チューブを両側から挟んで密閉する構成は比較的複雑となるが、管溝部の溝面に向かってチューブを押付ける構成は簡単で容易なため好ましいからである。
【０００７】
請求項５の発明は、請求項１乃至請求項４のいずれかに記載した点滴管切替装置において、押付機構が押面を有するスライドと前記スライドを直線方向に移動させる駆動機構とからなる点滴管切替装置とする。
スライドを直線方向に移動させる方法としては、スライドをシリンダで押し引きする構成や、リンク機構を使用する構成や、カム機構を使用する構成や、ラックとピニオンを組み合わせた構成や、チェンやベルトなどを往復駆動する構成などが考えられ、特にその構成についてはこだわるものではない。
請求項６の発明は、請求項５に記載した点滴管切替装置において、スライドを直線方向に移動させる駆動機構がスライドに設けたカム穴と偏心カム及び駆動部とを有する点滴管切替装置とする。
スライドに半円弧を両端に有する長穴形状のカム穴を設け、前記カム穴に挿入した円形状の偏心カムであって、（外径の中心と軸穴の中心との距離）＞（スライドが直線方向に移動する寸法の１／２）の関係にした偏心カムを設け、前記偏心カムを駆動部により時計方向及び反時計方向に回転させることにより、前記スライドを直線方向に前後移動させる構成とすることが好ましい。
請求項７の発明は、請求項５に記載した点滴管切替装置において、スライドを直線方向に移動させる駆動機構がスライドに設けたラックとピニオン及び駆動部とを有する点滴管切替装置とする。
スライドの一部をラックとし又はスライドにラックを取り付け、前記ラックとかみ合うピニオンを駆動部により時計方向及び反時計方向に回転させることにより、前記スライドを直線方向に前後移動させる構成としたものである。
請求項８の発明は、請求項１乃至請求項４のいずれかに記載した点滴管切替装置において、押付機構が押面を有するアームと前記アームを揺動させる駆動部とからなる点滴管切替装置とする。
駆動部によりアームを時計方向及び反時計方向に揺動させることにより、前記アームの押面を管溝部の溝面に接近させたり、前記アームの押面を管溝部の溝面から離れるように移動させる構成としたものである。
【０００８】
請求項９の発明は、請求項２乃至請求項８のいずれかに記載した点滴管切替装置において、２式の管溝部を有するものとし前記２式の管溝部に格納したチューブを１式の押付機構で交互に密閉及び開放する構成とした点滴管切替装置とする。
例えば、直線方向に移動するスライドの前後両側に押面を設け、前記スライドを前進させて一方の管溝部に格納したチューブを密閉して他方の管溝部に格納したチューブを開放し、前記スライドを後退させて一方の管溝部に格納したチューブを開放して他方の管溝部に格納したチューブを密閉する構成とする。
あるいは、時計方向及び反時計方向に揺動するアームの２カ所に押面を設け、前記アームを時計方向に揺動させて一方の管溝部に格納したチューブを密閉して他方の管溝部に格納したチューブを開放し、前記アームを反時計方向に揺動させて一方の管溝部に格納したチューブを開放して他方の管溝部に格納したチューブを密閉する構成とする。
さらには、互いに交差する２本のアームの左右両サイドにチューブを挟み付ける２面の押面を設け、左サイドのチューブを挟み付けて密閉したときに右サイドのチューブの管路を開放し、右サイドのチューブを挟み付けて密閉したときに左サイドのチューブの管路を開放する構成とするなど、その構成について特にこだわるものではない。
本発明を実施する場合は、前記スライド、前記アーム及び互いに交差する前記２本のアームを中間位置に停止させる機能を設け、中間位置に停止させた場合に２式の管溝部に格納したチューブが共に開放状態になるようにする。チューブを管溝部に取り付けたり取り外す作業を可能とし、さらに、点滴速度を調整する作業を容易にするためである。
請求項１０の発明は、請求項１乃至請求項９のいずれかに記載した点滴管切替装置において、タイマ、チューブ内を流れる薬液を検知するセンサ、薬液の容量又は薬液の重量の変化を検知する装置のいずれかを設けた点滴路切替装置とする。
本発明は、タイマで予め点滴時間を見計らって設定しておき設定した所定の時間が経過した場合、チューブ内を流れる薬液を検知するセンサを設け薬液の流れがなくなった場合、薬液の容量を検知して薬液の量がなくなった場合、薬液の重量を検知して薬液の重量が所定の重量になった場合、のいずれかを点滴終了と判断し自動的に管路を切り替えるようにしたものである。
【実施例１】
【０００９】
以下本発明の実施例１を図１〜図３に示し説明する。実施例１にかかる点滴管切替装置１１は蓋８付きのケース３と、ケースの内部３ａに取り付けた２式の駆動部９及び片方押付機構１２、さらに、ケースの外部に設けた２式の管溝部３ｂとで構成し、管溝部３ｂにはヒンジ２３を中心として開閉可能に溝蓋２２を設けた。
片方押付機構１２は片スライド２と駆動機構１６とからなり、駆動機構１６は片スライド２に設けた長穴形状のカム穴２ｃと、カム穴２ｃに挿入した円形状の偏心カム２４及び駆動部９とからなるものとした。
そして、カム穴２ｃは偏心カム２４より僅かに大きな半径の半円弧を両端に有し、さらに片スライド２が直線方向に移動する寸法より少し長い直線部を有する長穴形状とした。  また偏心カム２４は、（外径の中心と軸穴の中心との距離）＞（片スライド２が直線方向に移動する寸法の１／２）の関係を有するものとした。また駆動部９は、モータ部９ａとモータの回転数を減速する減速部９ｂと軸部９ｃとからなるものとし、駆動部９の軸９ｃに偏心カム２４の軸穴を挿入して取り付けた。
さらに片スライド２は、水平方向を２本のガイド２５で、上下方向をケース底３ｃと蓋８でそれぞれガイドし、駆動部９を時計方向に回転させて押面２ａが管溝部の溝面３ｄに接近するところまでスライドし、駆動部９を反時計方向に回転させて止面２ｂがケース内面３ｅに接触するまでスライドするようにした。
また、タイマを２式設け２式の薬液を点滴する時間をあらかじめそれぞれ設定して、最初の薬液についてタイマ設定した時間が経過したときに自動的に管路を切り替え、二番目の薬液についてタイマ設定した時間が経過したときに両方とも密閉して、点滴終了の合図をナースセンタに通知する構成とした。
【００１０】
実施例１の点滴管切替装置１１を使用して点滴を実施する前には、両方の片スライド２の止面２ｂがケース内面３ｅに接触する位置に片スライド２を停止させ、Ａ薬液槽３１の薬液を流すチューブ３５とＢ薬液槽３２の薬液を流すチューブ３６を２式の管溝部３ｂにそれぞれ挿入して蓋２２を閉じる。
また、２本のチューブ３５、３６を三方活栓３７の入口に結合し、三方活栓３７の出口に結合したチューブ３８の先端に針を取り付け、Ａ薬液とＢ薬液は両方ともチューブ３８を通り、チューブ３８に取り付けた針から人体に注射する構成とする。
そして、三方活栓３７を切り替えてＡ薬液のみを導通させ、クレンメ３３を調整してＡ薬液の点滴速度を調節する。つづいて三方活栓３７を切り替えてＢ薬液のみを導通させ、クレンメ３４を調整してＢ薬液の点滴速度を調節する。
その後、Ｂ薬液が流れるチューブ３６を密閉する。具体的には、駆動部９を回転させて偏心カム２４を時計方向に回転させると、片スライド２は偏心カム２４に押され押面２ａがチューブ３６を溝面３ｄに押し付けチューブ３６を密閉した状態で停止する。
さらに、Ａ薬液及びＢ薬液の点滴に要する時間を見計らってそれぞれタイマを設定し、三方活栓３７を切り替えてＡ薬液とＢ薬液の両方とも流れるようにする。
そしてＡ薬液の点滴を開始する。その後Ａ薬液についてタイマ設定した時間が経過すると、Ａ薬液が流れるチューブ３５を密閉してＢ薬液が流れるチューブ３６を開放する。
このとき密閉するチューブ３５側の駆動部９を時計方向に回転させて、片スライド２の押面２ａがチューブ３５を溝面３ｄに押し付け、チューブ３５を密閉した状態で偏心カム２４の回転が停止する。また、開放するチューブ３６側の駆動部９を反時計方向に回転させると、偏心カム２４に押された片スライド２の押面２ａが溝面３ｄから離れてチューブ３６内をＢ薬液は流れるようになる。
このようにしてＢ液の点滴が始まり、Ｂ薬液についてタイマ設定した時間が経過したときに、Ｂ薬液が流れるチューブ３６を密閉して点滴は終了する。その後、点滴終了の合図をナースセンタなどに通知する。
【実施例２】
【００１１】
次に実施例２について図４に示し説明する。実施例２は２式の管溝部５ａ、５ｂと両方押付機構１４とからなる、２本のチューブを密閉及び開放する機構の実施例である。２式の管溝部５ａ、５ｂにはそれぞれヒンジ２３を中心として開閉可能に溝蓋２２を設けた。
そして、両方押付機構１４は両スライド４と駆動機構１７とからなり、駆動機構１７は両スライド４に設けた長穴形状のカム穴４ｃと、カム穴４ｃに挿入した円形状の偏心カム２６及び駆動部９とからなるものとした。
そして、カム穴４ｃは偏心カム２６より僅かに大きな半径の半円弧を両端に有し、さらに両スライド４が直線方向に移動する寸法より少し長い直線部を有する長穴形状とした。また偏心カム２６は、（外径の中心と軸穴の中心との距離）＞（両スライド４が直線方向に移動する寸法の１／２）の関係を有するものとした。そして駆動部９の軸部９ｃに偏心カム２６の軸穴を挿入して取り付けた。
さらに両スライド４は、水平方向を２本のガイド２５で、上下方向をケース底５ｃと蓋１０でそれぞれガイドし、駆動部を時計方向に回転させることにより押面４ａが管溝部５ａの溝面５ｄに接近するところまでスライドし、駆動部を反時計方向に回転させることにより押面４ｂが管溝部５ｂの溝面５ｅに接近するところまでスライドするようにした。
また、両スライド４の移動するストロークを大きくし、中間点に両スライド４を停止させたときに、２式の管溝部５ａ、５ｂの両方共がチューブを容易に出し入れ可能な空間を有する構成とした。
その他の構成は実施例１と同様である。また、実施例２の発明の使用方法や作用効果についても実施例１と同様である、したがって重複記載を避けるため省略する。
【実施例３】
【００１２】
次に実施例３について図５に示し説明する。実施例３は２式の管溝部７ａ、７ｂと両方押付機構１５とからなる、２本のチューブを密閉及び開放する機構の実施例である。２式の管溝部７ａ、７ｂにはそれぞれヒンジ２３を中心として開閉可能に溝蓋２２を設けた。
両方押付機構１５は駆動部９の正逆回転駆動により揺動し、揺動中心の両側に押面６ａ、６ｂを有するアーム６とした。
そして、駆動部９を正回転させると押面６ａが管溝部７ａの溝面７ｄに接近し、駆動部を逆回転させると押面６ｂが管溝部７ｂの溝面７ｅに接近する構成とした。
また、アーム６の揺動角度の中間点にアーム６を停止させたときに、２式の管溝部７ａ、７ｂの両方共がチューブを容易に出し入れ可能な空間を有する構成とした。
その他の構成は実施例１と同様である。また、実施例３の発明の使用方法や作用効果についても実施例１と同様である、したがって重複記載を避けるため省略する。
【産業上の利用可能性】
【００１３】
本発明にかかる点滴管切替装置は主として医療関連機関において使用されるが、さらに、本発明は医療機器を製造する産業及び医療機器を流通させる産業において利用される。
【図面の簡単な説明】
【００１４】
【図１】点滴管切替装置の使用状態を示した正面図である。
【図２】点滴管切替装置の一部を破断した正面図である。
【図３】図２のＪ−Ｊ矢視断面図である。
【図４】両方押付機構の断面図である。
【図５】両方押付機構の断面図である。
【符号の説明】
【００１５】
２  ：片スライド      ２ａ：押面          ２ｃ：カム穴        ３  ：ケース
３ｂ：管溝部          ３ｄ：溝面          ４  ：両スライド    ４ａ：押面        ４ｂ：押面            ４ｃ：カム穴        ５ａ：管溝部        ５ｂ：管溝部
５ｄ：溝面            ５ｅ：溝面          ６  ：アーム        ６ａ：押面        ６ｂ：押面            ７ａ：管溝部        ７ｂ：管溝部        ７ｄ：溝面
７ｅ：溝面            ９  ：駆動部        １１：点滴管切替装置
１２：片方押付機構    １４：両方押付装置  １５：両方押付機構  １６：駆動機構
１７：駆動機構        ２２：溝蓋          ２４：偏心カム      ２６：偏心カム
３５：チューブ        ３６：チューブ
【図１】
2006130087.tif 000003
【図２】
2006130087.tif 000004
【図３】
2006130087.tif 000005
【図４】
2006130087.tif 000006
【図５】
2006130087.tif 000007